(57)【要約】前身頃を分岐編成した前右身頃または前左身頃のどちらか一方の衿ぐりの編目を後身頃が係止される針床に目移しし、他方の衿ぐりに前衿編成部を編成する。前衿編成部の前身頃中心部側端部の編目から少なくとも一方の衿ぐりの編目と重ならない位置の編目まで伏せ目処理を行う。前衿編成部の編目を後身頃の編目が係止される針床に目移しし、一方の衿ぐりの編目を元の針床に戻して一方の衿ぐりに前衿編成部を編成する。この前衿編成部の前身頃中心部側端部の編目から所定の目数を伏せ目処理する。左右の前衿編成部の袖付け側端部と後身頃の端部を対向させ、前衿編成部及び後身頃の編目を連続編成して後身頃に後衿編成部を編成したのち全ての編目を伏せ目処理する。
2003102284.tif 000002
【特許請求の範囲】
【請求項１】
左右方向に延び、かつ、前後方向に互いに対向する少なくとも前後一対の針床を有し、前後の針床の少なくとも一方が左右にラッキング可能で、前後の針床間で編目の目移しが可能な横編機を用いて、前身頃の衿ぐりに左前衿と右前衿が形成され、これら前衿が前身頃の中央を越えて他方の前衿側にそれぞれ進入する形状の前衿が形成されるニットウェアの編成方法であって、衿ぐりの形成開始後の編成が以下のステップを含むことを特徴とする
１）前身頃を前衿ぐり形成部分から前右身頃と前左身頃とに分岐させて編成をし、前右身頃および前左身頃の前衿ぐり部分を引き返し編成により形成する第１ステップ、
２）前身頃の中央を境界とする左右の前衿ぐりの何れか一方の編目を他方の前衿ぐりに形成する前衿編成部の編成の妨げにならない空針に移動させた後、他方の前衿ぐりにおいて前衿編成部を前身頃の中央を越えて他方の前衿側にそれぞれ進入する形状の前衿が形成されるように所定コース編成し、一方の前衿編成部の編成に使用する編針の領域内に位置する編目を伏せ目処理する第２ステップ、
３）前記第２ステップで編成の妨げにならない空針に移動させた編目を元の針に戻した後、前衿ぐりから前身頃の中央を越えて他方の前衿側にそれぞれ進入する形状の前衿が形成されるように残るもう一方の前衿編成部を形成する第３ステップ。
【請求項２】
請求の範囲第１項に記載の前衿が形成されるニットウェアの編成方法であって、ニットウェアを構成する前身頃と後身頃とが継ぎ目の無い連続した筒状に編成され、以下の工程を含むことを特徴とする
１）前身頃を前衿ぐり形成部分から前右身頃と前左身頃との分岐させて編成し、前右身頃の前衿ぐり部分および前左身頃の前衿ぐり部分を肩袖ぐり端部まで形成するとともに、後身頃を編成する第１ステップ、
２）第１ステップにより編成された前右身頃または前左身頃のどちらか一方の前衿ぐりの編目を他方の前衿ぐりに形成する前衿編成部の編成の妨げにならない空針に移動させ、他方の前衿ぐりに、前身頃の中央を越えて他方の前衿側にそれぞれ進入する形状の前衿が形成されるように前衿編成部を編成するとともに、前衿編成部を所定コース編成する度に、当該前衿編成部を反対側の前衿編成部側に移動させて、移動により生じた袖ぐり側の空針に新たに編目を形成する編成を繰り返して前身頃の肩下がりによる肩ランイ部を形成し、前衿編成部への肩ライン部の形成完了後に、当該前衿編成部における少なくとも残る一方の前衿編成部の編成に使用する編針の領域内の編目を伏せ目処理する第２ステップ、
３）前記第２ステップで編成に妨げにならない空針に移動させた編目を元の針に戻した後、残りの前衿ぐりから前身頃の中央を越えて他方の前衿側にそれぞれ進入する形状の前衿が形成されるようにもう一方の前衿編成部を編成するとともに、前衿編成部を所定コース編成する度に、当該前衿編成部を反対側の前衿編成部側に移動させて、移動により生じた袖ぐり側の空針に新たに編目を形成する編成を繰り返して前身頃の肩下がりによる肩ライン部を形成し、前衿編成部への肩ライン部の形成完了後に、前記第２ステップで伏せ目処理をしたのと同数の編目を前身頃中心側から伏せ目処理する第３ステップ、
４）後身頃の両端側にいくほどウェール毎の編成コース数が少なくなるように引き返し編みを行って後身頃に肩ライン部を形成した後、左右の前衿編成部の肩ライン部と後身頃の肩ライン部を接合する第４ステップ、
５）後身頃と伏せ目処理がされていない前衿編成部に対し給糸して左右の前衿編成部と後衿編成部が連続する衿を編成する第５ステップ、
６）各針床に係止されている左右の前衿編成部と後衿編成部の編目を伏せ目処理する第６ステップ。
【請求項３】
請求の範囲第１項に記載の前衿が形成されるニットウェアの編成方法であって、ニットウェアを構成する前身頃と後身頃とが継ぎ目の無い連続した筒状に編成され、以下の工程を含むことを特徴とする
１）前身頃を前衿ぐり形成部分から前右身頃と前左身頃との分岐させて編成し、前右身頃の前衿ぐり部分および前左身頃の前衿ぐり部分を引き返し編成するとともに、左右前身頃と後身頃に引き返し編成により肩ライン部を形成し、前身頃と後身頃の肩ライン部を接合する第１ステップ、
２）第１ステップにより編成された前右身頃または前左身頃のどちらか一方の衿ぐりの編目を他方の衿ぐりへの前衿編成部の編成の妨げにならない空針に移動させた後、他方の前衿ぐりに、前身頃の中央を越えて他方の前衿側にそれぞれ進入する形状の前衿が形成されるように前衿編成部を所定コース編成した後、当該前衿編成部における少なくとも残る一方の前衿編成部の編成に使用する編針の領域内の編目を伏せ目処理する第２ステップ、
３）前記第２ステップで編成に妨げにならない空針に移動させた編目を元の針に戻し、残る前衿ぐりから前身頃の中央を越えて他方の前衿側にそれぞれ進入する形状の前衿が形成されるようにもう一方の前衿編成部を所定コース編成した後、前記第２ステップで伏せ目処理したのと同数の編目を前身頃中心側から伏せ目処理する第３ステップ、
４）後身頃と伏せ目処理されていない前衿編成部に対し、その両端で給糸方向を反転させるＣ編みを行って左右の前衿編成部と後衿編成部が連続する衿を編成する第４ステップ、
５）各針床に係止されている左右の前衿編成部と後衿編成部の編目を伏せ目処理する第５ステップ。
【請求項４】
前身頃と後身頃が無縫製で筒状に編成され、前身頃が、前衿ぐりを有する前身頃編成部と、前衿ぐりに接合される前衿編成部の一部により構成され、前衿編成部は、前身頃肩部分と後身頃と接合される肩ライン部と折り開きの前衿部とを備えており、後身頃の後衿ぐりに形成される後衿編成部と前衿編成部とが連続編成されるとともに、無縫製で前衿編成部と後衿編成部とが身頃に接合されていることを特徴とする前衿を有するニットウェア。
【発明の詳細な説明】
技術分野
本発明は、前衿を有するニットウェアおよび前衿を有するニットウェアの編成方法に関する。特に本発明は、今までに無い前衿形状を有するニットウェアおよびその編成方法を提供するものである。
従来の技術
一般に折り開きの大きな前衿、例えばイタリアンカラーなど大きく外側に開いた形状の前衿を有するニットウェアを形成する場合には、身頃部分とは別途に衿部分を編成しておいて、衿部分を身頃の衿ぐりに縫製作業によって接合するようにしている。
特に、前衿が大きく、前衿を立てた状態にしたときに左右の衿の先端部が重なり合うような前衿形状の場合には、横編機によって、大きな左右の前衿と後衿を身頃に連続させて編成していくことは非常に困難であり、通常は縫製作業により衿を身頃に接合している。
このように縫製手段により衿を身頃の衿ぐりに接合する場合には、編成作業の後に縫製作業という後処理が必要になることからニットウェアを完成させるまでの工程数が多くなるという問題がある。
また、前衿を従来にない形状、例えば、前衿の一部で前身頃の肩部分を形成し、前衿に肩ラインを形成して折り開きの前衿を有するような形状とするデザインであって、編機上で編成完了後の衿ぐりに編成された衿を接合するための後処理を必要としないニットウェアは、今までは無かった。
発明の開示
本発明は以上の実情に鑑みて開発したものであって、縫製作業を行うことなく大きな前衿を有するニットウェアを編成できる編成方法を提供するとともに、ファッション性に優れ、今までに無いデザインの前衿形状を有する無縫製のニットウェアを提供することを目的とする。
縫製作業を行うことなく大きな前衿を有するニットウェアを編成できるようにするため、本発明は、左右方向に延び、かつ、前後方向に互いに対向する少なくとも前後一対の針床を有し、前後の針床の少なくとも一方が左右にラッキング可能で、前後の針床間で編目の目移しが可能な横編機を用いて、前身頃の衿ぐりに左前衿と右前衿が形成され、これら前衿が前身頃の中央を越えて他方の前衿側にそれぞれ進入する形状の前衿が形成されるニットウェアの編成方法であって、衿ぐりの形成開始後の編成が以下のステップを含むことを特徴とするものである。
１）前身頃を前衿ぐり形成部分から前右身頃と前左身頃とに分岐させて編成をし、前右身頃および前左身頃の前衿ぐり部分を引き返し編成により形成する第１ステップ。
２）前身頃の中央を境界とする左右の前衿ぐりの何れか一方の編目を他方の前衿ぐりに形成する前衿編成部の編成の妨げにならない空針に移動させた後、他方の前衿ぐりにおいて前身頃の中央を越えて他方の前衿側にそれぞれ進入する形状の前衿が形成されるように前衿編成部を所定コース編成し、一方の前衿編成部の編成に使用する編針の領域内に位置する編目を伏せ目処理する第２ステップ。
３）前記第２ステップで編成の妨げにならない空針に移動させた編目を元の針に戻した後、前衿ぐりから前身頃の中央を越えて他方の前衿側にそれぞれ進入する形状の前衿が形成されるように残るもう一方の前衿編成部を形成する第３ステップ。
以上のごとく本発明によれば、一方の前衿編成部を編成する際に、他方の前衿編成部を一方の前衿編成部の編成の妨げにならない針に移動させておいて、一方の前衿編成部を編成し、この編成した前衿編成部の最終コースにおける他方の前衿編成部を編成する際に使用する編針の領域内に位置する編目を伏せ目処理することにより、他方の前衿編成部をそのまま編成していくことができるので、縫製手段により衿を身頃の衿ぐりに接合する工程を必要とすることなく、編成のみでニットウェアを完成させることができるので、ニットウェアを完成させるまでの工程数が多くなることなく、製造費の低廉化が図れる。
また、本発明は、今までないデザインの大きな前衿を有するニットウェアを縫製作業することなく編成できるようにするための編成方法の発明であって、請求の第１項に記載の前衿が形成されるニットウェアの編成方法において、ニットウェアを構成する前身頃と後身頃とが継ぎ目の無い連続した筒状に編成され、以下の工程を含むことを特徴とするものである。
１）前身頃を前衿ぐり形成部分から前右身頃と前左身頃との分岐させて編成し、前右身頃の前衿ぐり部分および前左身頃の前衿ぐり部分を肩袖ぐり端部まで形成するとともに、後身頃を編成する第１ステップ。
２）第１ステップにより編成された前右身頃または前左身頃のどちらか一方の前衿ぐりの編目を他方の前衿ぐりに形成する前衿編成部の編成の妨げにならない空針に移動させ、他方の前衿ぐりに、前身頃の中央を越えて他方の前衿側にそれぞれ進入する形状の前衿が形成されるように前衿編成部を編成するとともに、前衿編成部を所定コース編成する度に、当該前衿編成部を反対側の前衿編成部側に移動させて、移動により生じた袖ぐり側の空針に新たに編目を形成する編成を繰り返して前身頃の肩下がりによる肩ランイ部を形成し、前衿編成部への肩ライン部の形成完了後に、当該前衿編成部における少なくとも残る一方の前衿編成部の編成に使用する編針の領域内の編目を伏せ目処理する第２ステップ。
３）前記第２ステップで編成に妨げにならない空針に移動させた編目を元の針に戻した後、残りの前衿ぐりから前身頃の中央を越えて他方の前衿側にそれぞれ進入する形状の前衿が形成されるようにもう一方の前衿編成部を編成するとともに、前衿編成部を所定コース編成する度に、当該前衿編成部を反対側の前衿編成部側に移動させて、移動により生じた袖ぐり側の空針に新たに編目を形成する編成を繰り返して前身頃の肩下がりによる肩ライン部を形成し、前衿編成部への肩ライン部の形成完了後に、前記第２ステップで伏せ目処理をしたのと同数の編目を前身頃中心側から伏せ目処理する第３ステップ。
４）後身頃の両端側にいくほどウェール毎の編成コース数が少なくなるように引き返し編みを行って後身頃に肩ライン部を形成した後、左右の前衿編成部の肩ライン部と後身頃の肩ライン部を接合する第４ステップ。
５）後身頃と伏せ目処理がされていない前衿編成部に対し給糸して左右の前衿編成部と後衿編成部が連続する衿を編成する第５ステップ。
６）各針床に係止されている左右の前衿編成部と後衿編成部の編目を伏せ目処理する第６ステップ。
以上のごとく本発明によれば、前身頃と後身頃が無縫製で筒状に編成される場合でありながら、肩ライン部を有するように前衿編成部の一部で前身頃の肩部分を形成しつつ、前衿を折り開きの大きい前衿を有する新規のデザインとするファッション性に優れたニットウェアを編成できる。
しかも、一方の前衿編成部を編成する際に、他方の前衿編成部を一方の前編成部の編成の妨げにならない針に移動させておいて、一方の前衿編成部を編成し、この編成した前衿編成部の最終コースにおける他方の前衿編成部を編成する際に使用する編針の領域内に位置する編目を伏せ目処理するとにより、他方の前衿編成部をそのまま編成していくことができる。
その結果、縫製手段により衿を身頃の衿ぐりに接合する工程を必要とすることなく、大きい折り開きの前衿とそれに連続する後衿を有するデザインであっても、無縫製で身頃に衿を接合することができ、ニットウェアを完成させるまでの工程数が多くなることなく、製造費の低廉化が図れる。
また本発明は、前身頃と後身頃が無縫製で筒状に編成されるニットウェアにおいて、縫製作業を行うことなく大きな前衿および後衿を有するニットウェアを編成する編成方法の発明であって、請求の第１項に記載の前衿が形成されるニットウェアの編成方法において、ニットウェアを構成する前身頃と後身頃とが継ぎ目の無い連続した筒状に編成され、以下の工程を含むことを特徴とするものである。
１）前身頃を前衿ぐり形成部分から前右身頃と前左身頃との分岐させて編成し、前右身頃の前衿ぐり部分および前左身頃の前衿ぐり部分を引き返し編成するとともに、左右前身頃と後身頃に引き返し編成により肩ライン部を形成し、前身頃と後身頃の肩ライン部を接合する第１ステップ。
２）第１ステップにより編成された前右身頃または前左身頃のどちらか一方の衿ぐりの編目を他方の衿ぐりへの前衿編成部の編成の妨げにならない空針に移動させた後、他方の前衿ぐりに、前身頃の中央を越えて他方の前衿側にそれぞれ進入する形状の前衿が形成されるように前衿編成部を所定コース編成した後、当該前衿編成部における少なくとも残る一方の前衿編成部の編成に使用する編針の領域内の編目を伏せ目処理する第２ステップ。
３）前記第２ステップで編成に妨げにならない空針に移動させた編目を元の針に戻し、残る前衿ぐりから前身頃の中央を越えて他方の前衿側にそれぞれ進入する形状の前衿が形成されるようにもう一方の前衿編成部を所定コース編成した後、前記第２ステップで伏せ目処理したのと同数の編目を前身頃中心側から伏せ目処理する第３ステップ。
４）後身頃と伏せ目処理されていない前衿編成部に対し、その両端で給糸方向を反転させるＣ編みを行って左右の前衿編成部と後衿編成部が連続する衿を編成する第４ステップ。
５）各針床に係止されている左右の前衿編成部と後衿編成部の編目を伏せ目処理する第５ステップ。
以上のごとく本発明によれば、前身頃と後身頃が無縫製で筒状に編成される場合でありながら、一方の前衿編成部を編成する際に、他方の前衿編成部を一方の前衿編成部の編成の妨げにならない針に移動させておいて、一方の前衿編成部を編成し、この編成した前衿編成部の最終コースにおける他方の前衿編成部を編成する際に使用する編針の領域内に位置する編目を伏せ目処理することにより、他方の前衿編成部をそのまま編成していくことができるので、縫製手段により衿を身頃の衿ぐりに接合する工程を必要とすることなく、編成のみでニットウェアを完成させることができるので、ニットウェアを完成させるまでの工程数が多くなることなく、製造費の低廉化が図れる。
また本発明は、今までに無い前衿を有するニットウェアの発明であって、前身頃と後身頃が無縫製で筒状に編成され、前身頃が、前衿ぐりを有する前身頃編成部と、前衿ぐりに接合される前衿編成部の一部により構成され、前衿編成部は、前身頃肩部分と後身頃と接合される肩ライン部と折り開きの前衿部とを備えており、後身頃の後衿ぐりに形成される後衿編成部と前衿編成部とが連続編成されるとともに、無縫製で前衿編成部と後衿編成部とが身頃に接合されている構成とした。
以上のごとく本発明により、肩ライン部を有するように前衿編成部の一部で前身頃の肩部分を形成しつつ、前衿を折り開きの大きい前衿を有する今までにない新規のデザインとするファッション性に優れたニットウェアを提供できる。
発明を実施するための最良の形態
以下、本発明にかかる前衿を有するニットウェアおよびその編成方法についての実施形態を図面に基づいて説明する。
本実施形態は、左右方向に延び、かつ、前後方向に互いに対向する前後一対の針床を有し、後針床が左右にラッキング可能で、しかも、前後の針床間で編目の目移しが可能ないわゆる２枚ベッドの横編機を用いてニットウェアを編成する。
２枚ベッドの横編機は、筒状のニットウェアを編成する場合、前後の各針床においてそれぞれ１本おきの針を用いて編成を行うようにしており、例えば、前針床の奇数番目の針を主として前身頃や袖の前部などのニットウェアの前側部分の編地を編成するために用い、後針床の偶数番目の針を主として後身頃や袖の後部などのニットウェアの後側部分を編成するために用いる。
さらに、前後の針床は、一方の針床の編成用に用いられる針に対向する他方の針床の針を空針としており、この空針を目移しやリブ編み等をするために用いるようになっている。
これら空針を用いることにより、リンクス、ガーター、リブなどの表目と裏目が混在した組織柄を編成したり、袖や身頃の編目をコース方向に移動させて互いに接合することができるようになっている。
また、２枚ベッドの横編機を用いる場合、前後針床の一方または両方の上位にトランスファージャックを列設したトランスファージャックベッドを設けて編地を編成するようにしてもよい。
なお、本実施形態では、２枚ベッドの横編機を用いてニットウェアを編成するようにしているが、本発明は、上部前針床、下部前針床、上部後針床、そして下部後針床からなる４枚ベッドの横編機を用いて編成することもできる。
４枚ベッドの横編機を用いる場合には、例えば、下部前針床に前側部分を付属させ、下部後針床に後側部分を付属させるとともに、上部後針床を前側部分の編地を編成する際の空針として前側部分の編地の目移し等に用い、上部前針床を後側部分の編地を編成する際の空針として後側部分の編地の目移し等に用いる。
本実施形態は、上記２枚ベッドの横編機を用いて、ニットウェアを構成する身頃および袖を継ぎ目の無い連続した筒状となるようにシームレスにニットウェアを編成する方法およびこの編成方法で編成される前衿を有するニットウェアを示す。
本発明の第１実施形態について、図１から図３に基づいて説明する。図１は、本発明の編成方法で編成される前衿を有するニットウェアのセーター１を前身頃側から見た図を示している。図２は、図１のセーター１を後身頃側から見た図を示している。図３は、セーター１を編成していくための編成手順を示す編成工程図である。
本実施形態では、後身頃２ｂ、右袖後部１３ｂ、左袖後部３ｂは、主として後針床上の奇数番目の針を使用して編成され、前身頃２ａ、右袖前部１３ａ、左袖前部３ａは、主として前針床上の偶数番目の針を使用して編成される。
本実施形態で編成されるセーター１は折り開きの大きな前衿を有する衿付きで長袖タイプのセーターである。本実施形態のセーター１は、図３に示す編成工程図に示すように、前身頃２ａにおける裾から肩における袖との接合部までの丈の長さ（コース数）と、後身頃２ｂにおける裾から肩における袖との接合部までの丈の長さ（コース数）とを一致させるように編成される。
さらに、セーター１は、前身頃２ａが、衿ぐり４を有する前身頃編成部５と、衿ぐり４に接合される前衿編成部６の一部により構成されている。
前身頃編成部５は、裾部から肩まで編成され、かつ、前衿ぐり４１が袖ぐりの肩付け根部（肩の袖ぐり側端部）において終わるように編成される。
前衿編成部６は、前身頃肩部分６１と、後身頃２ｂが接合される肩ライン部６２と、前衿部６３とを有するように編成され、前衿部６３により大きな折り開きの前衿が構成される。
そして、前衿編成部６の肩ライン部６２と後身頃２ｂの肩ライン部２１とが接合され、後身頃２ｂに前衿編成部６と連続して編成される後衿編成部７が形成される。
セーター１における前身頃２ａの前身頃編成部５、後身頃２ｂおよび袖３，１３の編み組織は、説明の便宜上、平編みの無地とし、前衿編成部６と後衿編成部７はリブ編としているが、前身頃編成部５、後身頃２ｂおよび袖３，１３は、ジャガードやリブ等の組織柄のものであってもよいし、前衿編成部６と後衿編成部７も他の組織柄としてもよい（第２実施形態および第３実施形態も同様）。
セーター１は、脇下部となる前身頃２ａの各点Ａ，ａは、左袖前部３ａおよび右袖前部１３ａの各点Ｐ，ｐと接合され、後身頃２ｂの各点Ｈ，ｈは左袖後部３ｂおよび右袖後部１３ｂの各点Ｓ，ｓと接合される。
そして、アームホール（袖ぐり）２２に沿って前身頃２ａと左袖前部３ａおよび右袖前部１３ａが接合され、後身頃２ｂと左袖後部３ｂおよび右袖後部１３ｂが接合される。
前身頃２ａを構成する前身頃編成部５は、前衿ぐり４１が形成され始める点Ｂ，ｂ以降にかけて後身頃２ｂと異なる形状をしており、図３に示すように、前左身頃５１と前右身頃５２とに分岐して編成される。
さらに、衿ぐり４の形成が開始された後の身頃２ａ，２ｂおよび袖３．１３の編成は、前左身頃５１、左袖前部３ａ、左袖後部３ｂ、後身頃２ｂ、右袖後部１３ｂ、右袖前部１３ａ、前右身頃５２の順またはその反対の順に編成しながら、アームホール２２に沿って、前左身頃５１に左袖前部３ａを接合し、後身頃２ｂに左袖後部３ｂと右袖後部１３ｂを接合し、前右身頃５２に右袖前部１３ａを接合していく。
なお、本実施形態において、身頃や袖の左右を表す用語、例えば、前右身頃５２や前左身頃５１などの右と左とは、セーター１を着用した状態の着用者を基準にしている。
次に、図３の編成工程図に基づいて第１実施形態のセーター１の編成手順について説明する。
図３の編成工程図は、図の下方から上方に向けて順次編成していく編成工程を示している。
まず、身頃編成用と袖編成用にそれぞれ用意した給糸口（図示せず）から編糸を前身頃編成用の各針に供給した後、給糸口を反転させて後身頃編成用の各針へ編糸を供給する編成を繰り返して、筒状体の身頃の裾部と左右の袖の袖口にゴム編部８１，８２を編成する。
そして、脇下部（図２の点Ａ，Ｐ，ａ，ｐ，Ｓ，Ｈ，ｓ，ｈ）の手前まで、前身頃２ａ（前身頃編成部５）と後身頃２ｂの編成と同時に、左袖３と右袖１３の編成を筒径を広げながら行う。
脇下部で身頃２と左袖３および右袖１３とを統合させて１つの筒状体とし、前身頃編成部５を前左身頃５１と前右身頃５２とに引き返し編成で分岐編成しながら、後身頃２ｂおよび左袖３および右袖１３も編成し、編成と同時に身頃２と左袖３および右袖１３の接合を行っていく。
そして、前身頃編成部５の前左身頃５１と前右身頃５２が点Ｃ，ｃの位置まで編成されるとともに、後身頃２ｂが線Ｋ−ｋの位置まで編成されると、身頃２と左袖３および右袖１３の接合も完了する。
ここまでの編成で、前身頃編成部５に引き返し編成により形成した前衿ぐり４１の形成が完了するとともに、前身頃編成部５と後身頃２ｂが無縫製で筒状に連続編成され、袖３，１３の身頃２への接合も完了した状態となり、前針床には前身頃編成部５の前衿ぐり４１の編目が係止され、後針床には後身頃２ｂの編目が係止された状態となっている。
次に、前左身頃５１の前衿ぐり４１（線Ｂ−Ｃ）に左前衿編成部６Ａを連続編成していく（線Ｄ−Ｅ）。
このとき、前右身頃５２の前衿ぐり４１（線ｂ−ｃ）の編目を、他方の前衿ぐり４１に形成する左前衿編成部６Ａの編成の妨げにならない空針に移動させておく。本実施形態では、前右身頃５２の前衿ぐり４１（線ｂ−ｃ）の編目を、後身頃の編目を係止する後針床の偶数番目の針と対向する前針床の空針に目移ししておく。
なお、特許第２９９５４６４号の特許公報に記載される預けおき装置を備える横編機を用いる場合には、前右身頃５２の前衿ぐり４１（線ｂ−ｃ）の編目を後針床上の後身頃の編目を係止する複合針のスライダーにホールディングしておくことができる。
前左身頃５１の前衿ぐり４１（線Ｂ−Ｃ）に左前衿編成部６Ａを１コース編成した後、後針床の空針に左前衿編成部６Ａの編目を目移し、後針床を図３で左方向に２ピッチラッキングさせて左前衿編成部６Ａの編目を前針床に目移し、右側（袖付け側）に１目掛け目をして１コース編成した後、後針床の空針に左前衿編成部６Ａの編目を目移し、左方向に２ピッチラッキングさせて左前衿編成部６Ａの編目を前針床に目移しする動作を繰り返して、左前衿編成部６Ａを線Ｆ−Ｇまで編成する。
そして、左前衿編成部６Ａを線Ｆ−Ｊまで伏せ目処理を行い、左前衿編成部６Ａの身頃中心側から、線Ｆ−Ｊの編目を針床の針から外しておく。左前衿編成部６Ａの線Ｆ−Ｊの編目は、次に編成する右前衿編成部６Ｂの編成に支障がないようにするために、右前衿編成部６Ｂの最終コースの編目に重ならない位置まで伏せ目処理をしておく。
次に、前右身頃５２の前衿ぐり４１（線ｂ−ｃ）に右前衿編成部６Ｂを連続編成していく（線ｄ−ｅ）。
前右身頃５２の前衿ぐり４１（線ｂ−ｃ）の編目を前針床の元の奇数番目の針に目移しし、前右身頃５２の前衿ぐり４１（線ｂ−ｃ）に右前衿編成部６Ｂを１コース編成した後、後針床の空針に右前衿編成部６Ｂの編目を目移し、後針床を図３で右方向に２ピッチラッキングさせて右前衿編成部６Ｂの編目を前針床に目移し、左側（袖付け側）に１目掛け目をして１コース編成した後、後針床の空針に右前衿編成部６Ｂの編目を目移し、右方向に２ピッチラッキングさせて右前衿編成部６Ｂの編目を前針床に目移しする動作を繰り返して、右前衿編成部６Ｂを線ｆ−ｇまで編成する。
そして、右前衿編成部６Ｂを線ｆ−ｊまで伏せ目処理を行い、右前衿編成部６Ｂの身頃中心側から、線ｆ−ｊの編目を針床の針から外しておく。右前衿編成部６Ｂの線ｆ−ｊの編目は、左前衿編成部６Ａでの伏せ目処理をした目数と同数の編目を伏せ目処理をしておく。
左前衿編成部６Ａおよび右前衿編成部６Ｂの袖付け側端部に形成した掛け目により肩ライン部６２（線Ｅ−Ｇ，線ｅ−ｇ）が形成される。
前記した左前衿編成部６Ａおよび右前衿編成部６Ｂは１目ずつ掛け目しながら同じ目数で所定コース数編成したが、前衿の形状を変更するために、身頃中心側の編目を増やすように編成してもよい。
次に、後身頃２ｂを線Ｋ−ｋの位置から肩ライン部２１の形成が完了する線Ｌ−ｌの位置まで編成する。肩ライン部２１（線Ｋ−Ｌ，線ｋ−ｌ）は引き返し編成により肩下がりになるように編成する。後身頃２ｂの編成を行いながら、前針床に係止される左前衿編成部６Ａおよび右前衿編成部６Ｂの肩ライン部６２の編目と後身頃２ｂの肩ライン部２１の編目を接合していく。
肩ライン部６２と肩ライン部２１の接合が完了すると、後針床には後身頃２ｂの後衿ぐり４２（線Ｌ−ｌ）の編目が係止され、前針床には、左前衿編成部６Ａ（線Ｇ−Ｊ）および右前衿編成部６Ｂ（線ｇ−ｊ）の編目が係止された状態となる。
なお、肩ライン部６２と肩ライン部２１の接合は、後身頃２ｂの編成が完了した後に行うようにしてもよい。
続いて、右前衿編成部６Ｂ、後衿編成部７、左前衿編成部６Ａ、後衿編成部７、右前衿編成部６Ｂの順を繰り返すように、３つの編成部に対してそれぞれの編成部の境界となる両端で給糸口の進行方向を変えながら、同じ軌跡上を反転走行して編成する、いわゆるＣ編みと呼ばれる編成方法で編成していく。
これにより、左前衿編成部６Ａが線Ｇ−Ｊ位置から点Ｍの位置まで、右前衿編成部６Ｂが線ｇ−ｊ位置から点ｍの位置まで、後衿編成部７が線Ｎ−ｎの位置から線Ｑ−ｑの位置まで連続して編成される。
このとき、左前衿編成部６Ａ、右前衿編成部６Ｂは引き返し編成によりウェール毎の編成コース数が身頃中心側で少なく両端側にいくほど編成コース数が多くなるように編成される。（線Ｊ−Ｍ，線ｊ−ｍ）。
なお、本実施形態では、後衿編成部７の編成コース数が全域において一定になるように編成しているが、左前衿編成部６Ａ、右前衿編成部６Ｂの引き返し編成に続いて、後衿編成部７も両端側に行くほど編成コース数が少なく編成される引き返し編成を行うようにしてもよい。
そして、左前衿編成部６Ａ、右前衿編成部６Ｂ、後衿編成部７が所定コース編成された後、左前衿編成部６Ａ、右前衿編成部６Ｂ、後衿編成部７の上端部の編目（線Ｊ−Ｍ−Ｑ−ｑ−ｍ−ｊ）を連続させて伏せ目処理をすることにより衿の編成が終了され、図１及び図２に示す前衿を有したセーター１の編成が完了する。
以上のように、第１実施形態のニットウェアは、一方の左前衿編成部６Ａを編成する際に、他方の右前衿編成部６Ｂを左前衿編成部６Ａの編成の妨げにならない針に移動させておいて、左前衿編成部６Ａを編成し、この編成した左前衿編成部６Ａの最終コースを、他方の右前衿編成部６Ｂを編成する際の最終コースの編目と重ならない位置まで伏せ目処理を行うことにより、他方の右前衿編成部６Ｂをそのまま編成していくことができる。
その結果、大きな前衿でも、縫製手段により衿を身頃の衿ぐりに接合する工程を必要とすることなく、編成のみでニットウェアを完成させることができるので、ニットウェアを完成させるまでの工程数が多くなることなく、製造費の低廉化が図れる。
しかも、第１実施形態のニットウェアのデザインは、肩ライン部６２を有するように前衿編成部６の一部で前身頃２ａの肩部分を形成しつつ、前衿を折り開きの大きい前衿部６３を有する新規のデザインとすることができ、ファッション性に優れる。
しかも大きい折り開きの前衿とそれに連続する後衿を有するデザインであるにもかかわらず、無縫製で身頃に衿を接合することができる。
また、前記した第１実施形態では、後身頃２ｂに後衿編成部７を形成したが、図４および図５に示す第２実施形態のように、後身頃２ｂに後衿編成部を形成しないようにしてもよい。
第２実施形態のセーター１の編成方法は、図３に示す第１実施形態の編成工程において、左前衿編成部６Ａの線Ｇ−Ｆの位置までの編成後に、線Ｅ−Ｇの肩ライン部６２を残して線Ｇ−Ｆまで全て伏せ目処理を行い、また、右前衿編成部６Ｂの線ｇ−ｆの位置までの編成後に、線ｅ−ｇの肩ライン部６２を残して線ｇ−ｆまで全て伏せ目処理を行うように編成を変更し、後身頃２ｂの線Ｋ−ｋの位置から線Ｌ−ｌの位置までの編成を行いながら肩ライン部６２と肩ライン部２１を接合し、後身頃２ｂの線Ｌ−ｌの編目を伏せ目処理することによりニットウェアの編成が終了するようになっている。
第２実施形態のニットウェアは、前身頃２ａにのみ衿を形成したものであり、肩ライン部６２を有するように前衿編成部６の一部で前身頃２ａの肩部分を形成しつつ、前衿を折り開きの大きい前衿とする衿編成部６３を形成するようにしても、新規のデザインとすることができ、ファッション性に優れる。
なお、第２実施形態のように、前身頃２ａにのみ衿を形成するタイプのものでは、前身頃の前身頃編成部５と前衿編成部６のみを編成しておいて、後身頃と接合するようにしてもよい。
また、前記した第１実施形態及び第２実施形態では、前身頃２ａの肩部分を前衿編成部６で形成し、前衿編成部６で肩ライン部６２を形成したが、図６および図７に示す第３実施形態のように、前衿編成部６０により身頃の肩部分および肩ライン部を形成することなく、前身頃編成部５０で肩部分および肩ライン部５３を形成するようにしてもよい。
第３実施形態で編成されるセーター１０も折り開きの大きな前衿を有する衿付きで長袖タイプのセーターである。本実施形態のセーター１０は、図８の編成工程図に示すように、前身頃２ａにおける裾から肩における袖との接合部までの丈の長さ（コース数）と、後身頃２ｂにおける裾から肩における袖との接合部までの丈の長さ（コース数）とを一致させるように編成される。
さらに、セーター１０は、前身頃２ａが、前衿ぐり４１ａおよび肩ライン部５３を有する前身頃編成部５０のみで構成され、前衿ぐり４１ａはＶ字状に形成される。
前衿編成部６０は、前身頃編成部５０の前衿ぐり４１ａに接合される前衿部６３ａを有し、前衿部６３ａにより大きな折り開きの前衿が構成される。
そして、前身頃編成部５０の肩ライン部５３と後身頃２ｂの肩ライン部２１とが接合され、後身頃２ｂに前衿編成部６０と連続して編成される後衿編成部７０が形成される。
セーター１０は、脇下部となる前身頃２ａの各点Ａ，ａは、左袖前部３ａおよび右袖前部１３ａの各点Ｐ，ｐと接合され、後身頃２ｂの各点Ｈ，ｈは左袖後部３ｂおよび右袖後部１３ｂの各点Ｓ，ｓと接合される。
そして、アームホール２２に沿って前身頃２ａと左袖前部３ａおよび右袖前部１３ａが接合され、後身頃２ｂと左袖後部３ｂおよび右袖後部１３ｂが接合される。
前身頃２ａを構成する前身頃編成部５０は、前衿ぐり４１ａが形成され始める点Ｂ，ｂ以降にかけて後身頃２ｂと異なる形状をしており、図８に示すように、前左身頃５０１と前右身頃５０２とに分岐して編成される。
なお、身頃２ａ，２ｂと左袖３、右袖１３との接合は第１実施形態と同じ編成方法なので省略する。
次に、図８に基づいて第３実施形態のセーター１０の編成工程について説明する。図８の編成工程図も、図の下方から上方に向けて順次編成していく編成工程を示している。
第３実施形態のセーター１０も、脇下部（図２の点Ａ，Ｐ，ａ，ｐ，Ｓ，Ｈ，ｓ，ｈ）の手前までの編成工程は第１実施形態と同じなので省略する。
脇下部で身頃２と左袖３および右袖１３とを統合させて１つの筒状体とし、前身頃編成部５０を前左身頃５０１と前右身頃５０２とに引き返し編成で分岐編成しながら、後身頃２ｂおよび左袖３および右袖１３も編成し、編成と同時に身頃２と左袖３および右袖１３の接合を行っていく。
そして、前身頃編成部５０の前左身頃５０１と前右身頃５０２が点Ｃ，ｃの位置まで編成されるとともに、後身頃２ｂが線Ｋ−ｋの位置まで編成されると、身頃２と左袖３および右袖１３の接合も完了する。
そして、前身頃編成部５０の点Ｃ，ｃの位置から点Ｇ，ｇの位置までを引き返し編成するとともに、後身頃２ｂの点Ｋ，ｋの位置から点Ｌ，ｌの位置までを引き返し編成をしながら、前身頃編成部５０に肩ライン部５３を形成し、後身頃２ｂに肩ライン部２１を形成する。さらに、前身頃編成部５０と後身頃２ｂを編成しながら、肩ライン部５３と肩ライン部２１を接合していく。
ここまでの編成で、前身頃編成部５０と後身頃２ｂに衿ぐり４０の形成が完了するとともに、前身頃編成部５０と後身頃２ｂが無縫製で筒状に連続編成され、袖３，１３の身頃２への接合も完了した状態となり、前針床には前身頃編成部５０の前衿ぐり４１ａの編目が係止され、後針床には後身頃２ｂの後衿ぐり４２ａの編目が係止された状態となっている。
次に、前左身頃５０１の前衿ぐり４１ａ（線Ｂ−Ｇ）に左前衿編成部６０Ａを連続編成していく（線Ｄ−Ｅ）。
このとき、前右身頃５０２の前衿ぐり４１ａ（線ｂ−ｇ）の編目を他方の前衿ぐり４１ａに形成する左前衿編成部６０Ａの編成の妨げにならない空針に移動させておく。本実施形態では、前右身頃５０２の前衿ぐり４１ａ（線ｂ−ｃ）の編目を、後身頃の編目を係止する後針床の偶数番目の針と対向する前針床の空針に目移ししておく。
なお、本実施形態においても、特許第２９９５４６４号の特許公報に記載される預けおき装置を備える横編機を用いる場合には、前右身頃５０２の前衿ぐり４１ａ（線ｂ−ｃ）の編目を後針床上の後身頃の編目を係止する複合針のスライダーにホールディングしておくことができる。
そして、前左身頃５０１の前衿ぐり４１ａ（線Ｂ−Ｇ）に、身頃中心側を増し目しながら、右側（肩側端部）のウェール数を減らすように引き返し編成をしながら、左前衿編成部６０Ａを点Ｆの位置まで編成する。
そして、左前衿編成部６０Ａを線Ｆ−Ｊまで伏せ目処理を行い、左前衿編成部６０Ａの身頃中心側から、線Ｆ−Ｊの編目を針床の針から外しておく。
左前衿編成部６０Ａの線Ｆ−Ｊの編目は、次に編成する右前衿編成部６０Ｂの編成に支障がないように、右前衿編成部６０Ｂを所定コース編成したときの編目と重ならない位置まで伏せ目処理をしておく。
次に、前右身頃５０２の前衿ぐり４１ａ（線ｂ−ｇ）に右前衿編成部６０Ｂを連続編成していく（線ｄ−ｅ）。
前左身頃５０２の前衿ぐり４１ａ（線ｂ−ｇ）に、身頃中心側を増し目しながら、左側（肩側端部）のウェール数を減らすように引き返し編成をしながら、左前衿編成部６０Ｂを点ｆの位置まで編成する。
そして、右前衿編成部６０Ｂを線ｆ−ｊまで伏せ目処理を行い、右前衿編成部６０Ｂの身頃中心側から、線ｆ−ｊの編目を針床の針から外しておく。
右前衿編成部６０Ｂの線ｆ−ｊの編目は、左前衿編成部６０Ａでの伏せ目処理をした目数と同じ目数を伏せ目処理をしておく。
そして、後針床には後身頃２ｂの後衿ぐり４２ａ（線Ｌ−ｌ）の編目が係止され、前針床には、左前衿編成部６０Ａ（線Ｇ−Ｊ）および右前衿編成部６０Ｂ（線ｇ−ｊ）の編目が係止された状態となる。
続いて、右前衿編成部６０Ｂ、後衿編成部７０、左前衿編成部６０Ａ、後衿編成部７０、右前衿編成部６０Ｂの順を繰り返すように、３つの編成部に対してそれぞれの編成部の境界となる両端で給糸口の進行方向を変えながら、同じ軌跡上を反転走行して編成する、いわゆるＣ編みと呼ばれる編成方法で編成していく。
これにより、左前衿編成部６０Ａが線Ｇ−Ｊ位置から点Ｍの位置まで、右前衿編成部６０Ｂが線ｇ−ｊ位置から点ｍの位置まで、後衿編成部７０が線Ｎ−ｎの位置から線Ｑ−ｑの位置まで連続して編成される。
このとき、左前衿編成部６０Ａ、右前衿編成部６０Ｂは引き返し編成によりウェール毎の編成コース数が身頃中心側で少なく両端側にいくほど編成コース数が多くなるように編成される。（線Ｊ−Ｍ，線ｊ−ｍ）。
なお、本実施形態では、後衿編成部７０の編成コース数が全域において一定になるように編成しているが、左前衿編成部６０Ａ、右前衿編成部６０Ｂの引き返し編成に続いて、後衿編成部７０も両端側に行くほど編成コース数が少なく編成される引き返し編成を行うようにしてもよい。
そして、左前衿編成部６０Ａ、右前衿編成部６０Ｂ、後衿編成部７０が所定コース編成された後、左前衿編成部６０Ａ、右前衿編成部６０Ｂ、後衿編成部７０の上端部の編目（線Ｊ−Ｍ−Ｑ−ｑ−ｍ−ｊ）を連続させて伏せ目処理をすることにより編成が終了され、図６及び図７に示す前衿を有したセーター１の編成が完了する。
以上のように、第３実施形態のニットウェアも、縫製手段により衿を身頃の衿ぐりに接合する工程を必要とすることなく、編成のみでニットウェアを完成させることができるので、ニットウェアを完成させるまでの工程数が多くなることなく、製造費の低廉化が図れる。
なお、本発明の編成方法によれば、各実施形態に示す前衿形状に限らず、折り開きの前衿であれば、どのようなタイプのものでも対応できる。
さらに、本発明は、セーターに限らずカーディガンにも適用できるし、袖の無いセーター、ベストなどにも適用できる。
【図面の簡単な説明】
図１は本発明にかかるニットウェアの第１実施形態であって、前衿を有するセーターを前身頃側から見た正面図である。
図２は本発明にかかるニットウェアの第１実施形態であって、前衿を有するセーターを後身頃側から見た背面図である。
図３は第１実施形態のセーターを編成するための編成手順を示す編成工程図である。
図４は本発明にかかるニットウェアの第２実施形態であって、前衿を有するセーターを前身頃側から見た正面図である。
図５は本発明にかかるニットウェアの第２実施形態であって、前衿を有するセーターを後身頃側から見た背面図である。
図６は本発明にかかるニットウェアの第３実施形態であって、前衿を有するセーターを前身頃側から見た正面図である。
図７は本発明にかかるニットウェアの第３実施形態であって、前衿を有するセーターを後身頃側から見た背面図である。
図８は第３実施形態のセーターを編成するための編成手順を示す編成工程図である。
【図１】
2003102284.tif 000003
【図２】
2003102284.tif 000004
【図３】
2003102284.tif 000005
【図４】
2003102284.tif 000006
【図５】
2003102284.tif 000007
【図６】
2003102284.tif 000008
【図７】
2003102284.tif 000009
【図８】
2003102284.tif 000010
【手続補正書】
【提出日】平成16年2月23日(2004.2.23)
【手続補正００１】
【補正対象書類名】特許請求の範囲
【補正対象項目名】請求項４
【補正方法】変更
【補正の内容】
【請求項４】
前身頃と後身頃が無縫製で筒状に編成され、前身頃が、前衿ぐりを有する前身頃編成部と、前衿ぐりに接合される前衿編成部の一部により構成され、前衿編成部は、前身頃肩部分と後身頃と接合される肩ライン部と折り開きの前衿部とを備え、後身頃の後衿ぐりに形成される後衿編成部と前衿編成部とが連続編成されており、前衿編成部は、前身頃の衿ぐりに左前衿と右前衿とで形成され、無縫製で前衿編成部と後衿編成部とが身頃に接合されるとともに、前衿が前身頃の中央を越えて他方の前衿側にそれぞれ進入する形状になっていることを特徴とする前衿を有するニットウェア。
【手続補正００２】
【補正対象書類名】明細書
【補正対象項目名】０００５
【補正方法】変更
【補正の内容】
【０００５】
３）前記第２ステップで編成に妨げにならない空針に移動させた編目を元の針に戻し、残る前衿ぐりから前身頃の中央を越えて他方の前衿側にそれぞれ進入する形状の前衿が形成されるようにもう一方の前衿編成部を所定コース編成した後、前記第２ステップで伏せ目処理したのと同数の編目を前身頃中心側から伏せ目処理する第３ステップ。
４）後身頃と伏せ目処理されていない前衿編成部に対し、その両端で給糸方向を反転させるＣ編みを行って左右の前衿編成部と後衿編成部が連続する衿を編成する第４ステップ。
５）各針床に係止されている左右の前衿編成部と後衿編成部の編目を伏せ目処理する第５ステップ。
以上のごとく本発明によれば、前身頃と後身頃が無縫製で筒状に編成される場合でありながら、一方の前衿編成部を編成する際に、他方の前衿編成部を一方の前衿編成部の編成の妨げにならない針に移動させておいて、一方の前衿編成部を編成し、この編成した前衿編成部の最終コースにおける他方の前衿編成部を編成する際に使用する編針の領域内に位置する編目を伏せ目処理することにより、他方の前衿編成部をそのまま編成していくことができるので、縫製手段により衿を身頃の衿ぐりに接合する工程を必要とすることなく、編成のみでニットウェアを完成させることができるので、ニットウェアを完成させるまでの工程数が多くなることなく、製造費の低廉化が図れる。
また本発明は、今までに無い前衿を有するニットウェアの発明であって、前身頃と後身頃が無縫製で筒状に編成され、前身頃が、前衿ぐりを有する前身頃編成部と、前衿ぐりに接合される前衿編成部の一部により構成され、前衿編成部は、前身頃肩部分と後身頃と接合される肩ライン部と折り開きの前衿部とを備え、後身頃の後衿ぐりに形成される後衿編成部と前衿編成部とが連続編成されており、前衿編成部は、前身頃の衿ぐりに左前衿と右前衿とで形成され、無縫製で前衿編成部と後衿編成部とが身頃に接合されるとともに、前衿が前身頃の中央を越えて他方の前衿側にそれぞれ進入する形状とした。
以上のごとく本発明により、肩ライン部を有するように前衿編成部の一部で前身頃の肩部分を形成しつつ、前衿を折り開きの大きい前衿を有する今までにない新規のデザインとするファッション性に優れたニットウェアを提供できる。




【国際調査報告】
2003102284.tif 000011
2003102284.tif 000012
2003102284.tif 000013
2003102284.tif 000014